(57)【要約】【課題】破損した既設屋根材の野地板からの取り外しを楽に行なうこと。既設屋根材を取り外した後の野地板に対して新規屋根材の棟側端部を簡易に且つ確実に固定すること。【解決手段】直角をなす屈曲部を介して第１棒状部３と第２棒状部４とが連続したＬ形棒状体２で構成され、第１棒状部３の先端側に、既設屋根材の下面と野地板との隙間に露出している釘の胴部を挟んだ状態で捻って引き抜くための釘挟持部９を備え、第２棒状部４の先端側に上記釘の胴部に引っ掛けた状態で引張って引き抜くための釘引掛部１０を備えた屋根材取り外し用治具１である。【選択図】図１
2008138428.tif 000002
【特許請求の範囲】
【請求項１】
立体形状の既設屋根材を野地板から取り外すための治具が、直角をなす屈曲部を介して第１棒状部と第２棒状部とが連続したＬ形棒状体で構成され、第１棒状部の先端側に、既設屋根材の下面と野地板との隙間に露出している釘の胴部を挟んだ状態で捻って引き抜くための釘挟持部を設け、第２棒状部の先端側に上記釘の胴部に引っ掛けた状態で引張って引き抜くための釘引掛部を設けてなることを特徴とする屋根材取り外し用治具。
【請求項２】
請求項１記載の屋根材取り外し用治具を用いて立体形状の既設屋根材を野地板から取り外す方法であって、破損した既設屋根材の一部に上下に開口する貫通孔を予め穿孔し、その後、上記既設屋根材の下面と野地板との隙間に露出している釘の胴部の露出寸法が短い場合は、請求項１記載のＬ形棒状体の第１棒状部の先端側に設けた釘挟持部を既設屋根材の上方から貫通孔を通して釘の胴部を挟んだ状態で、第１棒状部を回動中心として第２棒状部を回動させることで該釘の胴部を捻って引き抜くための捻り動作を行ない、一方、上記釘の胴部の露出寸法が長い場合は、請求項１記載のＬ形棒状体の第２棒状部の先端側に設けた釘引掛部を既設屋根材の上方から貫通孔を通して釘の胴部に引っ掛けた状態で該釘の胴部を横方向に引張るための引張り動作を行なうことを特徴とする屋根材の取り外し方法。
【請求項３】
破損した既設屋根材を野地板から取り外した後に、新規屋根材の棟側端部を棟側に隣接する既設屋根材の軒側端部の下面側に重合配置した状態で、該新規屋根材の棟側端部を野地板に取り付ける屋根材の改修方法において、野地板に固定される固定板と、新規屋根材の棟側端部の棟側への移動規制を行なう棟側ストッパー部と、上記棟側端部の軒側への抜け止めを行なう軒側抜け止め部と、上記棟側端部の上端面を上から押さえる押さえ部とが一体形成されてなる補修用クリップを準備し、請求項１記載の屋根材取り外し用治具を用いて破損した既設屋根材を取り外した後の野地板に対して補修用クリップの固定板を固定し、その後、新規屋根材の棟側端部を軒側から補修用クリップ内に差し込んで、棟側ストッパー部による新規屋根材の棟側端部の棟側への移動規制を行なうと共に、軒側抜け止め部による上記棟側端部の軒側への抜け止めを行ない、且つ上記棟側ストッパー部及び軒側抜け止め部による棟側及び軒側への移動規制状態を押さえ部により保持することで、野地板に固定した補修用クリップにより新規屋根材の棟側端部を抜け止め保持することを特徴とする屋根材の改修方法。
【発明の詳細な説明】
【技術分野】
【０００１】
本発明は、破損した立体形状の既設屋根材を野地板から取り外すための屋根材取り外し用治具及び該治具を用いて屋根材を取り外す方法に関し、さらに既設屋根材を取り外した後の野地板に対して新規屋根材を取り付ける屋根材の改修方法に関するものである。
【背景技術】
【０００２】
従来から、破損した立体形状の既設屋根材を新規屋根材に差し替えるにあたっては、既設屋根材の下面側に切削工具を挿入して、該既設屋根材を野地板に対して固定している釘の首部を鋸などの切削工具を用いて切り落とすことにより、該既設屋根材を取り外すようにしていた（例えば、特許文献１参照）。
【０００３】
ところが上記特許文献１に示された従来例では、例えば、図１１に示すように、破損した既設屋根材５の一部に切削工具３０を挿入できる大きな開口穴１２を穴あけし、その開口穴１２から切削工具３０を挿入して釘８の胴部８ａを切削するようにしていた。このため大きな開口穴１２の穴あけ作業に手間がかかるうえに、切削工具３０を用いて釘８を切り落としやすくするために、釘８の胴部８ａに切断用くびれ部を形成しており、このため、釘８に特殊な加工が必要になるという問題があり、一方、切断用くびれ部を形成しない場合は、切り落としに労力がかかって作業に困難を伴うという問題がある。
【０００４】
さらに、破損した既設屋根材に差し替えて新規屋根材を取り付ける場合は、この新規屋根材の棟側端部を棟側に隣接する既設屋根材の軒側端部の下面側に重合配置した状態で、新規屋根材の棟側端部を野地板に取り付ける必要があり、この場合、棟側に隣接する既設屋根材の軒側端部とオーバーラップしている新規屋根材の棟側端部を釘で野地板に固定できず、一般には、新規屋根材の棟側端部をシーリング（接着剤）で野地板に接着するようにしている。しかしながらシーリングによる固定では、新規屋根材の重量によるズレや、シーリング劣化が懸念されるなど、改修の信頼性が低下するという問題があった。
【特許文献１】特開平９−２２８５９７号公報
【発明の開示】
【発明が解決しようとする課題】
【０００５】
本発明は上記の従来の問題点に鑑みて発明したものであって、破損した既設屋根材を野地板から取り外す際に既設屋根材に従来のような切削工具が入るような大きな開口穴を設ける必要がなく、そのうえ釘の胴部の捻り動作又は釘の胴部の引張り動作のいずれかを行なうだけで、野地板からの釘の引き抜き作業を楽に行なうことができる屋根材取り外し用治具及び該治具を用いた屋根材の取り外し方法を提供することを課題とし、さらに、既設屋根材を取り外した後の野地板に対して新規屋根材の棟側端部の取り付けを簡易に且つ確実に行なうことができ、改修の作業性及び信頼性を高めることができる屋根材の改修方法を提供することを課題とするものである。
【課題を解決するための手段】
【０００６】
前記課題を解決するために請求項１の発明は、立体形状の既設屋根材５を野地板７から取り外すための屋根材取り外し用治具であって、直角をなす屈曲部を介して第１棒状部３と第２棒状部４とが連続したＬ形棒状体２で構成され、第１棒状部３の先端側に、既設屋根材５の下面と野地板７との隙間に露出している釘８の胴部８ａを挟んだ状態で捻って引き抜くための釘挟持部９を設け、第２棒状部４の先端側に上記釘８の胴部８ａに引っ掛けた状態で引張って引き抜くための釘引掛部１０を設けてなることを特徴としている。
【０００７】
また請求項２に係る屋根材の取り外し方法は、請求項１記載の屋根材取り外し用治具１を用いて立体形状の既設屋根材５を野地板７から取り外す方法であって、破損した既設屋根材５の一部に上下に開口する貫通孔１１を予め穿孔し、その後、上記既設屋根材５の下面と野地板７との隙間に露出している釘８の胴部８ａの露出寸法が短い場合は、請求項１記載のＬ形棒状体２の第１棒状部３の先端側に設けた釘挟持部９を既設屋根材５の上方から貫通孔１１を通して釘８の胴部８ａを挟んだ状態で、第１棒状部３を回動中心Ｍとして第２棒状部４を回動させることで該釘８の胴部８ａを捻って引き抜くための捻り動作を行ない、一方、上記釘８の胴部８ａの露出寸法が長い場合は、請求項１記載のＬ形棒状体２の第２棒状部４の先端側に設けた釘引掛部１０を既設屋根材５の上方から貫通孔１１を通して釘８の胴部８ａに引っ掛けた状態で該釘８の胴部８ａを横方向に引張るための引張り動作を行なうことを特徴としている。
【０００８】
上記請求項１の屋根材取り外し用治具１、及び請求項２の屋根材の取り外し方法を採用することにより、破損した既設屋根材５を容易に野地板７から取り外し可能となる。しかも既設屋根材５に予め穿孔する貫通孔１１の大きさは、屋根材取り外し用治具１を構成するＬ形棒状体２の第１棒状部３又は第２棒状部４のいずれか一方を挿入できる程度の小さな穴で済み、穴あけ作業に手間がかからないうえに、該既設屋根材５の下面と野地板７の上面との間に露出している釘８の胴部８ａの露出寸法の長短に応じて、既設屋根材５の上方からＬ形棒状体２の第１棒状部３による釘８の胴部８ａの捻り動作、或いは第２棒状部４による釘８の胴部８ａの引張り動作のいずれかを行なうだけで、野地板７から釘８を楽に引き抜くことができる。
【０００９】
また請求項３記載の発明は、破損した既設屋根材５を野地板７から取り外した後に、新規屋根材６の棟側端部６ａを棟側に隣接する既設屋根材５の軒側端部の下面側に重合配置した状態で、該新規屋根材６の棟側端部６ａを野地板７に取り付ける屋根材の改修方法において、野地板７に固定される固定板１４と、新規屋根材６の棟側端部６ａの棟側への移動規制を行なう棟側ストッパー部１５と、上記棟側端部６ａの軒側への抜け止めを行なう軒側抜け止め部１６と、上記棟側端部６ａの上端面を上から押さえる押さえ部１７とが一体形成されてなる補修用クリップ１３を準備し、請求項１記載の屋根材取り外し用治具１を用いて破損した既設屋根材５を取り外した後の野地板７に対して補修用クリップ１３の固定板１４を固定し、その後、新規屋根材６の棟側端部６ａを軒側Ｅから補修用クリップ１３内に差し込んで、棟側ストッパー部１５による新規屋根材６の棟側端部６ａの棟側Ｆへの移動規制を行なうと共に、軒側抜け止め部１６による上記棟側端部６ａの軒側Ｅへの抜け止めを行ない、且つ上記棟側ストッパー部１５及び軒側抜け止め部１６による棟側Ｆ及び軒側Ｅへの移動規制状態を押さえ部１７により保持することで、野地板７に固定した補修用クリップ１３により新規屋根材６の棟側端部６ａを抜け止め保持することを特徴としている。
【００１０】
このような構成とすることで、新規屋根材６の棟側端部６ａを棟側に隣接する既設屋根材５の軒側端部の下面側に重合配置する場合でも野地板７に固定した補修用クリップ１３内に軒側Ｅから新規屋根材６の棟側端部６ａを差し込むだけで、棟側ストッパー部１５、軒側抜け止め部１６及び押さえ部１７による新規屋根材６の棟側端部６ａの軒側Ｅ及び棟側Ｆへの位置規制及び抜け止めをより簡易に且つ確実に行なえるようになる。
【発明の効果】
【００１１】
本発明に係る屋根材取り外し用治具及び該治具を用いた屋根材の取り外し方法にあっては、破損した既設屋根材を野地板から取り外す際に既設屋根材に従来のような切削工具が入るような大きな開口穴を設ける必要がなく、穴あけ作業に手間がかからないものであり、そのうえ第１棒状部の釘挟持部による釘の胴部の捻り動作又は第２棒状部の釘引掛部による釘の胴部の引張り動作のいずれかを行なうだけで、野地板からの釘の引き抜き作業を楽に且つスムーズに行なえる結果、既設屋根材の取り外し作業が一層はかどるものである。
【００１２】
また本発明に係る屋根材の改修方法にあっては、野地板に固定した補修用クリップ内に軒側から新規屋根材の棟側端部を差し込むことにより、新規屋根材の棟側端部６を棟側に隣接する既設屋根材の軒側端部の下面側に重合配置した状態で、新規屋根材の棟側端部の軒側及び棟側への位置規制及び抜け止めが行なわれる結果、新規屋根材の棟側端部を野地板に対してより簡易で且つ確実な固定ができるようになり、改修の作業性及び信頼性がより高められるものである。
【発明を実施するための最良の形態】
【００１３】
以下、本発明を添付図面に示す実施形態に基いて説明する。
【００１４】
図１（ａ）は本発明の屋根材取り外し用治具１を示し、図１（ｂ）、図２は該治具１を用いて立体形状の既設の屋根材５（以下、単に「屋根材５」と略す。）を野地板７から取り外す場合の一例を示している。
【００１５】
本発明の治具１は、図１（ａ）に示すように、直角をなす屈曲部２ａを介して第１棒状部３と第２棒状部４とが連続したＬ形棒状体２で構成され、第１棒状部３の先端側に釘８の胴部８ａを挟んだ状態で捻って引き抜くための釘挟持部９を一体に設け、第２棒状部４の先端側に釘８の胴部８ａに引っ掛けた状態で引張って引き抜くための釘引掛部１０を一体に設けてある。
【００１６】
本例では、第１棒状部３は第２棒状部４よりも長尺に形成されている。第１棒状部３に設けられる釘挟持部９は、第１棒状部３の長手方向に突出しており、先端が広く開口し且つ奥が狭くなったＶ字溝９ａで構成されていると共に先端にいくほど厚みが薄くなる先鋭状に形成されている。一方、第２棒状部４に設けられる釘引掛部１０は、第２棒状部４の長手方向と直交し且つ釘挟持部９の突出方向と直交する方向に向かって鉤状に折り曲げ形成されていると共に先端にいくほど厚みが細くなるように釘引掛部１０の外面にはテーパー面１０ａが形成されている。本例では、第１棒状部３の長さＬ１は例えば４００ｍｍ、第２棒状部４の長さＬ２は例えば２００ｍｍ、釘挟持部９の屈曲寸法Ｌ３は例えば５０ｍｍとされる。
【００１７】
図３は屋根材５の上面図であり、図４は下面図であり、図５（ａ）〜（ｄ）は屋根材５の左側面図、右側面図、図３のＡ−Ａ線断面図、Ｂ−Ｂ線断面図であり、図６（ａ）〜（ｃ）は屋根材５の正面図、背面図、図３のＣ−Ｃ線断面図である。
【００１８】
図３に示すように、屋根材５の上面５ｅの棟側端部５ａには、水切り用の立上部１８ａが形成され、一側端部５ｃには水案内溝１８ｂが設けられていると共に、棟側端部５ａ及び一側端部５ｃの複数箇所に野地板７に釘８を打ち込むための釘穴１９が穿設されている。本例では図６（ｃ）に示すように、屋根材５の上面５ｅより段落ちした一側端部５ｃの上面に、水案内溝１８ｂが設けられている。また本例では、図７に示すように、一側端部５ｃの上面側に横幅方向Ｈに隣接する別の屋根材５の他側端部５ｄが覆設されると共に、屋根材５，５，……の上面が面一状に連続するように、隣接する一方の屋根材５の一側端部５ｃと他方の屋根材５の他側端部５ｄとが相互に嵌合可能なあいじゃくり構造を有している。さらに、水案内溝１８ｂと対向する屋根材５の他側端部５ｄの下面には、水案内溝１８ｂの略全長を気密に覆う覆い部２１（図４、図６（ｃ））が凹設され、水案内溝１８ｂ内に案内される水が図７の矢印イで示す方向にオーバーフローするのを防止している。一方、屋根材５の軒側端部５ｂの下面にも覆い部４０（図４、図５（ｂ）〜（ｄ））が凹設され、雨水が裏面側に回り込み、裏面を這い上がっていくのを防止している。
【００１９】
さらに本例では、図３に示す棟側端部５ａと他側端部５ｄとのコーナー部２３、及び一側端部５ｃと軒側端部５ｂとのコーナー部２４には、矩形状の切欠２６ａ，２６ｂが形成されている。これにより、屋根材５の他側端部５ｄ上流側の切欠２６ｂ内に、右隣りの屋根材５の一側端部５ｃ上流側のコーナー後壁部２２が外観良く嵌合できる構造となり、一方、屋根材５の一側端部５ｃ下流側の切欠２６ａ内に左隣りの屋根材５の他側端部５ｄ下流側のコーナー前壁部２５が外観良く嵌合できる構造となり、さらに水案内溝１８ｂから流下する雨水は上記の嵌合部分の隙間から下流側（軒側Ｅ）へと流下可能となっている。
【００２０】
次に、本発明の治具１を用いて破損した立体形状の屋根材５を野地板７から取り外す方法の一例を説明する。破損した屋根材５の一部に上下に開口する貫通孔１１を予め穿孔しておく。
【００２１】
その後、屋根材５の一側端部５ｃの釘８を引き抜く場合は、一側端部５ｃの下面と野地板７との上下の隙間が広く、釘８の胴部８ａの露出寸法（屋根材の下面から野地板７の上面に至るまでの釘８の露出している部分の長さ）が長いので、図１（ｂ）に示すように、第２棒状部４の先端側の釘引掛部１０を、屋根材５の上方から貫通孔１１を通して釘８の胴部８ａに引っ掛けた状態で、第１棒状部３を手でつかんで矢印方向ａに引張る引張り動作を行なう。このとき釘８の胴部８ａが横方向に引張られて略コ字状に変形することで野地板７から引き抜かれるようになる。つまり、釘８の頭部は屋根材の上面に係止されているため、釘８の先端部の方が野地板７から引き抜かれるようになる。またこのとき第１棒状部３は長尺であるため両手でつかみやすく、捻り動作がしやすくなり、そのうえ第２棒状部４が屋根材５の上面と摺接することによって屋根材上面が第２棒状部４のガイドとなり、引張り動作をよりスムーズに行なうことができる。また、第１棒状部３の端部付近を握り、屈曲部２ａ付近をハンマーで叩くことも可能である。
【００２２】
一方、屋根材５の棟側端部５ａの釘８を引き抜く場合においては、棟側端部６ａの下面と野地板７との上下の隙間が狭く、釘８の胴部８ａの露出寸法が短いので、図２に示すように、第１棒状部３の先端側の釘挟持部９を屋根材５の上方から貫通孔１１を通して釘８の胴部８ａを挟み付けた状態で、第１棒状部３を回動中心Ｍとして第２棒状部４を矢印方向ｂに回動させる捻り動作を行なう。これにより釘８の胴部８ａが捻られて釘８の先端部が野地板７から引き抜かれるようになる。つまり、釘８の頭部は屋根材の上面に係止されているため、釘８の先端部の方が野地板７から引き抜かれるようになる。またこのとき第２棒状部４に設けた釘引掛部１０の外面がテーパー面１０ａとなっているので、釘引掛部１０に手をあてがいやすくなり、第２棒状部４の回動作業を楽に且つ安全に行なうことができる。また、第２棒状部４を一般的なバールに比べて長くすれば、より小さな力で回転作業を行なうことができるものである。
【００２３】
しかして、本発明の治具１を用いて、破損した屋根材５を野地板７から取り外すにあたって、図１（ｂ）に示すように、屋根材５に予め穿孔する貫通孔１１の大きさは、第１棒状部３又は第２棒状部４のいずれか一方を挿入できる程度の小さな穴で済み、従って、従来のような切削工具が入るような大きな開口穴１２（図１１）を設ける必要がなく、穴あけ作業に手間がかからないものであり、そのうえ従来ように切削工具３０（図１１）を用いて屋根材５の下面側の釘８を切り落とすために、釘８の胴部８ａに切断用くびれ部を形成しておく必要もないので、釘８の特殊な加工工程を省略することができると共にくびれ部を形成しなくても本発明の治具１を用いて簡単に引き抜くことができ、取り外し作業がはかどるものである。
【００２４】
また釘８の胴部８ａの露出寸法の長・短に応じて、第１棒状部３による釘８の胴部８ａの捻り動作（図１（ｂ））を行なうか、或いは第２棒状部４による釘８の胴部８ａの引張り動作（図２）を行なうだけでよいので、屋根材５の取り外し作業が一層はかどる利点がある。
【００２５】
また本例では、屋根材５の下面５ｆの棟側端部５ａの複数箇所に、図４に示すように、野地板７の上面に当たる足部２０を突設し、棟側端部５ａの下面と野地板７の上面との隙間を足部２０によって広げることで、第１棒状部３の釘挟持部９を差し込んで釘抜き動作をスムーズに行なえるようにしてある。
【００２６】
なお前記実施形態では、釘挟持部９を釘８の胴部８ａに挟んで捻る場合を例示したが、本例の釘挟持部９は先端にいくほど厚みが薄くなっているので、仮りに屋根材５の棟側端部５ａが釘８ではなく接着剤で接着されている場合は、その狭い接着面に釘挟持部９を差込んで捻る動作を行なうことにより、該棟側端部６ａを野地板７から引き剥がすように取り外すことも可能である。
【００２７】
また第１棒状部３を第２棒状部４よりも長尺の場合を例示したが、第１棒状部３と第２棒状部４とを同じ寸法としたり、或いは、第２棒状部４の方を第１棒状部３よりも長尺に形成することも可能である。
【００２８】
次に、破損した既設の屋根材５を取り外した後の野地板７に新規屋根材６を取り付ける場合を説明する。図８及び図９は補修用クリップ１３の説明図であり、図１０は補修用クリップ１３を用いて新規屋根材６の軒側端部６ｂを抜け止め保持した状態の説明図である。なお新規屋根材６は図３〜図６に示す既設の屋根材５と同じ構造を有している。
【００２９】
本例の補修用クリップ１３は、野地板７に対して固定される固定板１４と、新規屋根材６の棟側端部６ａの棟側Ｆへの移動規制を行なう棟側ストッパー部１５と、該棟側端部６ａの軒側Ｅへの抜け止めを行なう軒側抜け止め部１６と、該棟側端部６ａの上端面を上から押さえて棟側Ｆ及び軒側Ｅへの移動規制状態を保持する押さえ部１７とが一体形成されている。図８に示す例では、補修用クリップ１３は側面から見てＬ字形に屈曲されたバネ板材で構成されており、軒棟方向Ｇに細長く延びた固定板１４の軒側寄りの位置に釘打ち穴２８ａが設けられており、固定板１４の棟側寄りの端部から上方に立ち上がる部分が棟側ストッパー部１５となっており、さらに棟側ストッパー部１５の上端から軒側に向かって押さえ部１７が折り曲げ形成されている。さらに、固定板１４の中央側部分を上方に切り起こしたバネ板片によって軒側抜け止め部１６が構成される。ここでは軒側抜け止め部１６は、上端にいくほど棟側ストッパー部１５に近接する方向に傾斜している。さらに押さえ部１７の軒側端部１７ａは軒側抜け止め部１６の上方位置近くまで延びていると共に、軒側端部１７ａの先端は上方に屈曲しており、新規屋根材６の棟側端部６ａの上端面を押さえ部１７の下面に挿入しやすくしてある。
【００３０】
本例の補修用クリップ１３を用いて新規屋根材６を野地板７に取り付ける一例を説明する。先ず、前記図１、図２に示した治具１を用いて既設屋根材５を取り外した後の野地板７（通常、野地板の上面には、防水シート（図示せず）が敷設される）の上面において、新規屋根材６の棟側端部６ａの配置部分に沿って本発明の補修用クリップ１３を複数配列して、各補修用クリップ１３の固定板１４を釘などの固定具２８を用いて屋根下地に対してそれぞれ予め固定しておく。このとき固定板１４の軒側端部は、棟側Ｆに隣接する別の既設屋根材５の軒側端部５ｂと重合しない位置まで延設されている。つまり、固定板１４に設けられる釘打ち込み穴２８ａは、図１０に示すように、既設屋根材５の軒側端部５ｂとオーバーラップしない位置に配置されているため、固定板１４を野地板７に対して固定する作業が容易である。その後、軒側Ｅから図１０の矢印ロで示す方向に新規屋根材６の棟側端部６ａを補修用クリップ１３内に差し込むと、棟側端部６ａはバネ板片からなる軒側抜け止め部１６を下方（図９（ａ）の矢印ハの方向）に撓ませながら、棟側ストッパー部１５に突き当たり、棟側端部６ａの棟側Ｆへの移動が規制される。また棟側端部６ａの内側面が軒側抜け止め部１６を通り過ぎた段階で、バネ板片からなる軒側抜け止め部１６が自らのバネ復帰力によって上方（図９（ａ）の矢印ニの方向）に突出して棟側端部６ａの内側面に弾性係止した状態（図１０の状態）となり、これにより、棟側端部６ａは軒側Ｅに抜け止めされた状態となり、且つこの状態で棟側端部６ａの上端面が押さえ部１７にて上方から押さえられることで、上記棟側ストッパー部１５及び軒側抜け止め部１６による棟側Ｆ及び軒側Ｅへの移動規制が押さえ部１７により保持された状態となり、結果として、新規屋根材６の棟側端部６ａを棟側に隣接する既設屋根材５の軒側端部の下面側に重合配置した状態で、新規屋根材６の棟側端部６ａの野地板７への取り付けを補修用クリップ１３を介してワンタッチでしかも確実に行なうことができる。なお新規屋根材６の軒側端部６ｂは軒側Ｅに隣接する既設屋根材５の棟側端部５ａの上面に載設固定される。
【００３１】
しかして、上記のように破損した既設屋根材５を取り外した後の野地板７に補修用クリップ１３を固定した状態で、軒側Ｅから新規屋根材６の棟側端部６ａを補修用クリップ１３内に差し込むだけで、棟側ストッパー部１５、軒側抜け止め部１６及び押さえ部１７による新規屋根材６の棟側端部６ａの軒棟方向Ｇへの位置規制及び抜け止めが行なわれることとなり、結果、本発明の補修用クリップ１３を用いて新規屋根材６の棟側端部６ａを棟側に隣接する既設屋根材５の軒側端部の下面側に重合配置できると共に、野地板７に対する固定がより確実に行なわれるようになり、改修の作業性及び信頼性がより高められるものである。
【図面の簡単な説明】
【００３２】
【図１】（ａ）は本発明の一実施形態に用いる屋根材取り外し用治具の斜視図、（ｂ）は同上の該治具の第２棒状部の先端に設けた釘引掛部を用いて釘の胴部を引張る引張り動作の説明図である。
【図２】同上の第１棒状部の先端に設けた釘挟持部を用いて釘の胴部を捻る捻り動作の説明図である。
【図３】同上の屋根材の上面図である。
【図４】同上の屋根材の下面図である
【図５】（ａ）〜（ｄ）は同上の屋根材の左側面図、右側面図、図３のＡ−Ａ線断面図、Ｂ−Ｂ線断面図である。
【図６】（ａ）〜（ｃ）は同上の屋根材の正面図、背面図、図３のＣ−Ｃ線断面図である。
【図７】同上の横幅方向に隣接する一方の屋根材の一側端部と他方の屋根材の他側端部との嵌合状態の説明図である。
【図８】（ａ）（ｂ）は本発明の新規屋根材の取り付けに使用する補修用クリップの概略斜視図である。
【図９】（ａ）〜（ｅ）は同上の補修用クリップの正面図、左側面図、右側面図、平面図、底面図である。
【図１０】同上の補修用クリップを用いて新規屋根材の軒側端部を野地板に固定した状態の説明図である。
【図１１】（ａ）は従来例の破損した屋根材に設けた開口穴から切削工具を挿入して釘を切り落とす場合の説明図であり、（ｂ）は従来例に用いる切削工具の斜視図である。
【符号の説明】
【００３３】
１  屋根材取り外し用治具
２  Ｌ形棒状体
３  第１棒状部
４  第２棒状部
５  既設屋根材
５ａ  棟側端部
５ｃ  一側端部
５ｄ  他側端部
６  新規屋根材
６ａ  棟側端部
７  野地板
８  釘
８ａ  胴部
９  釘挟持部
１０  釘引掛部
１１  貫通孔
１３  補修用クリップ
１４  固定板
１５  棟側ストッパー部
１６  軒側抜け止め部
１７  押さえ部
Ｅ  軒側
Ｆ  棟側
Ｍ  回動中心
【図１】
2008138428.tif 000003
【図２】
2008138428.tif 000004
【図３】
2008138428.tif 000005
【図４】
2008138428.tif 000006
【図５】
2008138428.tif 000007
【図６】
2008138428.tif 000008
【図７】
2008138428.tif 000009
【図８】
2008138428.tif 000010
【図９】
2008138428.tif 000011
【図１０】
2008138428.tif 000012
【図１１】
2008138428.tif 000013